(57)【特許請求の範囲】
【請求項１】
車両の荷台に載置される車載用ボックスであって、
立体的な筐体部を備え、
前記筐体部は、
側面の一部を略直角に開閉する第１の開閉部と、
前記第１の開閉部を開閉可能に支えるフレーム部と、
前記筐体部の天井の一部を略直角に開閉し、前記フレーム部と接合する第２の開閉部と、
を備え、
前記第２の開閉部を上方に開いた状態にて、前記第２の開閉部の上方に前記第１の開閉部を起立させることが可能であることを特徴とする車載用ボックス。
【請求項２】
前記筐体は、前記第１の開閉部と、前記第２の開閉部とを起立し、前記第１の開閉部の広告宣伝部及び前記第２の開閉部の広告宣伝部を上下の位置に配置することを特徴とする請求項１に記載の車載用ボックス。
【請求項３】
車両の荷台に載置される車載用ボックスであって、
立体的な筐体部を備え、
前記筐体部は、閉じられたボックス状に変化する第１の形態と、
側面の一部を略直角に上方へ開く第２の形態と、
前記筐体部の天井の一部を略直角に開き、前記天井の一部と接合する前記側面の一部を開くことによって、前記側面を最上段の位置へ変化する第３の形態へ、と形態を変化することを特徴とする車載用ボックス。
【発明の詳細な説明】
【技術分野】
【０００１】
本発明は、主に車両の荷台に載置するボックスに関し、特に、移動販売車に設置した宣伝部を上昇可能に取り付けるための技術に関する。
【背景技術】
【０００２】
従来から車両の荷台自体をステージにしたり、車両に荷台に移動販売が可能なボックスを設けて、移動販売と同時に広告宣伝を行うボックスがある。
これらは、希望する場所にそのまま出向きサービスを行うことができるため、催事に主に利用が高まっている。
【０００３】
その一例として特許文献１には、二段床を昇降可能に収納した荷箱において，ウイング式屋根と煽りにより両側面を開閉できる荷箱であって、ウイング式屋根および煽りと、二段床との間に収納されて、当該荷箱に枢着されるステージ部を有し、荷箱において下降して、最下位に位置した二段床と、水平に回転させたステージ部とが同一平面となる位置に、ステージ部は枢着される、二段床とステージ部を兼ね備えた荷箱の発明が開示されている。
【０００４】
また、特許文献２は、本発明の移動販売車１は、販売する物品を搭載可能な荷台部と、販売内容及び／又は店舗を宣伝する画面を表示する表示部とを備えた移動販売車であって、表示部を昇降可能に支持する昇降機構を備え、昇降機構は、表示部を保持する保持枠と、保持枠を上下方向にスライド可能に支持する可動域支柱と、保持枠をフックで係止して昇降させるウインチと、を有する発明が開示されている。
【０００５】
しかしながら、これら技術は、駐車場や街角では宣伝広告を行うための高さが制限されてしまい、遠くからの眺めた場合に宣伝効果が薄れてしまうという欠点があった。
また、雨の日や風の強い等での状況に応じて車載用宣伝ボックスの機能を簡単に変化させることは困難な状況であった。
【先行技術文献】
【特許文献】
【０００６】
【特許文献１】特開２００４−１７７７３号公報
【特許文献２】特開２０２１−３７８８２号公報
【発明の開示】
【発明が解決しようとする課題】
【０００７】
本発明は、このような課題を鑑みされたものであり、遠くからでも宣伝広告部分を眺めることができ、様々な環境に応じてボックスの機能を簡単に変化することができる車載用ボックスを提供することにある。
【課題を解決するための手段】
【０００８】
本発明は、上述の主目的を達成するために、以下の手段を採った。
車両の荷台に載置される車載用ボックスであって、
立体的な筐体部を備え、
前記筐体部は、
側面の一部を略直角に開閉する第１の開閉部と、
前記第１の開閉部を開閉可能に支えるフレーム部と、
前記筐体部の天井の一部を略直角に開閉し、前記フレーム部と接合する第２の開閉部と、
を備え、
前記第１の開閉部に広告宣伝用の部材を収容可能であって、前記第１の開閉部を最上部に配置することを特徴とする。
【発明の効果】
【０００９】
このように構成することによって、遠くからでも視認可能である広告宣伝の展開を簡単に行ことができる。
【図面の簡単な説明】
【００１０】
【図１】図１は、本実施形態の車両の荷台に車載用ボックスを搭載した車両の斜視図である。
【図２】図２は、本実施形態の車載用ボックスの斜視図である。
【図３】図３は、本実施形態の車載用ボックスの斜視図である。
【図４】図４は、本実施形態の車載用ボックスの斜視図である。
【図５】図５は、本実施形態の車載用ボックスの斜視図である。
【発明を実施するための形態】
【００１１】
本発明にかかる車載用ボックスの実施形態について、図面を参照しつつ詳細に説明する。尚、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。
【００１２】
（実施形態）
本発明の実施形態にかかる車載用ボックスについて図１を参照して説明する。図１は、本実施形態の軽車両等の荷台７に車載用ボックス１０を搭載した車両１を示す斜視図である。
【００１３】
車載用ボックス１０は、上下に看板、ポスター及び液晶テレビ等の広告宣伝用の機材を搭載することができるスペースを備えた広告宣伝部３・４を設けている。広告宣伝部３・４は、選挙活動時には選挙人や顔等のポスターや、移動販売時にはメニュー等を表示することが可能である。
【００１４】
また、車載用ボックス１０内に人が入ることができるようにドア１１を設けている。
車載用ボックス１０内は、人が入って選挙活動の宣伝をしたり、移動販売時には、調理器具を搭載し調理や販売品の処理をする活動スペース１２が設けられている。
【００１５】
次に、図２は、車両１を移動する際に、車載用ボックス１０を変化させた状態を示す斜視図である。車載用ボックス１０は、ドア１１、トレイ１５、窓フレーム１６、下部広告収納部１３及び上部広告収納部１４を閉じ、四角いボックス状の筐体に変化している。車載用ボックス１０は、天井部１７及び下部広告収納部１３の隅に、支え部２１（図４）を引っ掛ける留め部１８を備えている。
【００１６】
次に、図２は、車両１を主に移動販売時に、強風や雨が降ってきた場合における車載用ボックス１０を変化した状態の図である。
車載用ボックス１０は、ドア１１、窓フレーム１６及び下部広告収納部１３を閉じた状態である。車載用ボックス１０は、側面部に設けられたトレイ１５を開き、商品等を置くスペースを確保している。トレイ１５は、ヒンジや紐等によってストッパー２９により略９０°に固定されている。
【００１７】
また、雨天等や日差しが強い場合には、油圧式等のダンパーを使用したダンパー部２４によって上部広告収納部１４を上昇し開き、また開いた状態を維持することが可能である。
このように、車載用ボックス１０は、上部広告収納部１４を開いて変化することによって、活動スペース１２の中で調理等を行うことが可能な移動販売車両へと変化することが可能である。
【００１８】
次に、図４又は図５は、広告宣伝が遠くからでも確認することができる車載用ボックス１０を変化した状態の図である。
四角いボックス状の車載用ボックス１０は、ドア１１を開けて活動スペース１２内にて人が入って活動できるようになっている。活動スペース１２は、移動販売時には食品等の調理や、政治活動の演説等ができるスペースである。
【００１９】
車載用ボックス１０は、活動スペース１２を支えるために、骨格を成す金属製のフレーム部２７によって支えられている。また、車載用ボックス１０は、車両１の天井の部分に延びた調理器具や具材等を収納する空間である収納スペース３５を設けている。
【００２０】
天井部１７及び下部広告収納部１３の隅に、支え部２１を引っ掛ける留め部１８を備えている。支え部２１は、強風の際に、下部広告収納部１３が倒れないようにするための支えである。トレイ１５は、ヒンジや紐等によってストッパー２９により略９０°に固定されている。
【００２１】
車載ボックス１７は、天井部１７の一部を形成する下部広告収納部１３を上方に開放することによって、上方に広告宣伝をできるスペースを確保している。下部広告収納部１３は、略直角方向に設けた窓フレーム１６を備えている。窓フレーム１６は、上述したように開放した窓を備えており、金属等のフレームにより構成されている。また、下部広告収納部１３は、窓フレーム１６を略直角に支える三角プレート２２を両側に備えている。窓フレーム１６の両端に設けられる三角プレート２２によって、開放した際に、略直角の状態を保つことが可能である。
【００２２】
下部広告収納部１３は、骨格を成す金属製のフレーム部２６によって支えられている。
下部広告収納部１３は、両端に油圧式等のダンパーを使用したダンパー部２３によって下部広告収納部１３を略直角にスムーズに開き、また開いた状態を維持することが可能である。下部広告収納部１３は、上述のように看板、ポスター及び液晶テレビ等の広告宣伝用の機材を搭載することができる広告収容部３１を備えている。
【００２３】
天井部１７及び下部広告収納部１３の隅に、支え部２１を引っ掛ける留め部１８を備えている。支え部２１は、強風の際に、下部広告収納部１３が倒れないようにするための支えである。
【００２４】
また、同時に、両端に設けられている油圧式等のダンパーを使用したダンパー部２４によって上部広告収納部１４を略直角にスムーズに開き、また開いた状態を維持することが可能である。上部広告収納部１４は、骨格を成す金属製のフレーム部２５によって支えられている。
上部広告収納部１４は、上述のように看板、ポスター及び液晶テレビ等の広告宣伝用の機材を搭載することができる広告収容部３２を備えている。
【００２５】
このように、車載用ボックス１０は、下部広告収納部１３及び上部広告収納部１４を上昇し開き、また開いた状態を維持することによって、遠くからでも広告宣伝を視認することができる。
【００２６】
また、車載用ボックス１０は、上部広告収納部１４を上昇し開いた状態であっても、窓フレーム１６が水平状に維持されているため、窓フレーム１６は上部広告収納部１４を視認する障害となることはない。
【００２７】
フレーム部２５、２６、２７の構成は限定することはなく、強度を保つことが可能な本数や格子の形状も適宜変更が可能である。また、車載用ボックス１０は、車両の荷台に搭載されれば良く、車両の大きさに合わせて適宜変更可能である。
【００２８】
車載用ボックス１０は、ボックス状は四角形状の立体に限らず、球体形状や一部面取りを行った形状であっても良く、囲われた形状であっても良い。また、本願発明のように一部上方を突出した形状であっても良いが、立方体形状であっても良い。また車載用ボックス１０は、円柱状や球体形状であっても良い。
【００２９】
また、本発明では、片側から開いて広告宣伝用に展開したが、もう片側の側面に上部広告収納部１４及び下部広告収納部１３を設け両側から開いて広告宣伝又は移動販売車に展開を行うようにしても良い。
【００３０】
（技術的特徴）
以下に本実施形態の技術的特徴点の一例を括弧内に示すが、特に限定するものでもなく例示しているものであり、これら特徴から考えられる効果についても記載する。
【００３１】
＜第１の特徴点＞
車両（例えば、主に、車両１）の荷台（例えば、主に、荷台７）に載置される車載用ボックス（例えば、主に、車載用ボックス１０）であって、
立体的な筐体部（例えば、主に、車載用ボックス１０の筐体）を備え、
前記筐体部は、
側面の一部を略直角に開閉する第１の開閉部（例えば、主に、上部広告収納部１４）と、
前記第１の開閉部を開閉可能に支えるフレーム部（例えば、主に、窓フレーム１６）と、
前記筐体部の天井（例えば、主に、天井部１７）の一部を略直角に開閉し、前記フレーム部と接合する第２の開閉部（例えば、主に、下部広告収納部１３）と、
を備え、
第１の開閉部に広告宣伝用の部材を収容を可能とし、前記第１の開閉部を最上部に配置することを特徴とする。
【００３２】
以上の特徴によって、遠くからでも視認可能である広告宣伝の展開を簡単に行ことができる。
【００３３】
＜第２の特徴点＞
前記筐体は、前記第１の開閉部の下方に、広告宣伝用の部材を収容を可能とした前記第２の開閉部（例えば、主に、下部広告収納部１３）を備えたことを特徴とする。
【００３４】
以上の特徴によって、遠くからでも視認可能である２つの広告宣伝の展開を簡単に行ことができる。
【００３５】
＜第３の特徴点＞
車両（例えば、主に、車両１）の荷台（例えば、主に、荷台７）に載置される車載用ボックス（例えば、主に、車載用ボックス１０）であって、
立体的な筐体部（例えば、主に、車載用ボックス１０の筐体）を備え、
前記筐体部は、閉じられたボックス状に変化する第１の形態（例えば、主に、図３の車載用ボックス１０）と、
側面の一部を開放する第２の形態（例えば、主に、図２の車載用ボックス１０（上部広告収納部１４、トレイ１５））と、
前記筐体部の天井の一部を略直角に開き、前記屋根の一部と接合する前記側面の一部を開くことによって、前記側面を最上段の位置へ変化する第３の形態（例えば、主に、図４、５の車載用ボックス１０（上部広告収納部１４））へ、と形態を変化することを特徴とする。
【００３６】
以上の特徴によって、遠くからでも視認可能である広告宣伝の展開を簡単に行ことができる。また、天候又は移動販売車や広告宣伝車等の機能に合わせて形態を簡単に変化することが可能である。
【産業上の利用可能性】
【００３７】
上述した実施の形態で示すように、車両に搭載するだけでなく、駐車場や空き地等の空いている空間に載置し、販売店舗にしたり、牽引式トレーラーの荷台に載置し移動式販売店舗や宣伝スペースとして利用することも可能である。
【符号の説明】
【００３８】
１…車両、３・４…広告宣伝部、１０…車載用ボックス、１１…ドア、
１２…活動スペース、１３…下部広告収納部、１４…上部広告収納部、１５…トレイ、１６…窓フレーム、１７…天井部、１８…留め部、１９…側面部、
２１…支え部、２２…三角プレート、２３・２４…ダンパー部、
２５・２６・２７…フレーム部、２９…ストッパー、３１・３２…広告収容部、
３５…収納スペース。
【要約】
【課題】  本発明は、遠くからでも宣伝広告部分を眺めることができ、様々な環境に応じてボックスの機能を変化することができる車載用ボックスを提供することにある。
【解決手段】車両１の荷台７に載置される車載用ボックス１０であって、立体的な筐体部を備え、筐体部は、側面の一部を略直角に開閉する第１の開閉部１４と、第１の開閉部を開閉可能に支えるフレーム部１６と、筐体部の天井１７の一部を略直角に開閉し、フレーム部と接合する第２の開閉部１３と、を備え、第１の開閉部に広告宣伝用の部材を収容可能であって、第１の開閉部を最上部に配置することを特徴とする。
【選択図】図１【図１】
0006937000.tif 000002
【図２】
0006937000.tif 000003
【図３】
0006937000.tif 000004
【図４】
0006937000.tif 000005
【図５】
0006937000.tif 000006